(57)【要約】【課題】  従来のシャワーユニットは、大便等が流せず、粗相をした高齢者、オストメイト、身体障害者及びゆるい便をする乳児、幼児等の大便のついた局部や臀部を、清潔に保つ為の洗浄が困難だった。また、下着及びオムツ等の下洗いをする際、付着している大便はシャワーユニットには流せず、大便を別にトイレに持って行き、改めて流す不便さがあった。以上のような不都合を解決する。【解決手段】  シャワーユニットにおいて、洗い場に大便等も流せる排水を設ける。この排水は、目皿４及びフタ５をセットしておくと、通常の一般的なシャワー室となんら変わりなく使用できるものである。便を流す必要のない家族も、気持ち良くシャワーを利用できる。しかしながら、大便、及び大便の付いた下着類を下洗いする時は、独立して着脱できる目皿４及びフタ５を取り除けば、大便や、トイレットペーパー等も流して処理でき、上記の課題を解決する。【選択図】  図１
2006348716.tif 000002
【特許請求の範囲】
【請求項１】
壁パネル８を建並べて形成されたルーム空間において、その側面に囲まれた洗い場２があり、該洗い場側の各側面のうち、いずれか一側面以上に沿った床面に、大便等も流せる排水を設けていることを特徴とするシャワーユニット。
【請求項２】
請求項１に記載のシャワーユニットにおいて、該洗い場の排水口の上部に設けた、独立して着脱できる排水用の目皿４であり、洗い場の床面２より、下がった高さに位置し、シャワー及び入浴の一般的な使い方によって生じる、髪の毛やゴミ等を排水に流さないことを目的とした、取り外しが簡単な目皿であり、一般的な日常のシャワー室の機能を損なう事がない目皿を備えた、大便等も流せる排水を設けていることを特徴とする請求項１に記載のシャワーユニット。
【請求項３】
請求項１及び２に記載のシャワーユニットにおいて、目皿４のフタ５であり、該フタ５は洗い場の床面２とほぼ同一高さに位置し、該目皿４と該フタ５との間に指を挿入できる切欠部６が、該洗い場側の各側面のうち、いずれか一側面以上に沿ってフタ５に存在し、これにより該フタ５を簡単に取り外しができ、その上、該目皿４も簡単に取り外しが出来るように、かつ、排水量に関し、円滑に排水できるほどの切欠部６の面積があり、該フタの表面も床と同一形状に形成したものであり、美観を損なうことない、独立して着脱できるフタ５を備えた、大便等も流せる排水を設けていることを特徴とする請求項１及び２に記載のシャワーユニット。
【発明の詳細な説明】
【技術分野】
【０００１】  本発明は、大便等も流せるシャワーユニットに関するものである。
【背景技術】
【０００２】  従来のシャワーユニットは、シャワーのみを目的としており、大便やトイレットペーパー類は流せなかった。この例として特許文献１に開示されているものがある。
【特許文献１】  特開平０９−１８７３９２号公報  特開平０９−１０３４５２号公報  特開平１１−０８１７１８号公報  特開２００１−３５３０９３号公報  特開２０００−２９７５５１号公報  特開２０００−２９７５４８号公報
【発明の開示】
【発明が解決しようとする課題】
【０００３】  しかし、従来のような大便やトイレットベーパーが流すことのできないシャワーユニットは、粗相をした高齢者、ゆるい便をする乳児、幼児等の大便のついた局部や臀部を、清潔に保つ為の洗浄が困難だった。【０００４】  また、近年増加している、人工肛門や、人工膀胱造設者のオストメイトの方などにとっても不便だった。【０００５】  加え、下着及びオムツ等の下洗いをする際、付着している大便はシャワーユニットには流せず、大便を別にトイレに持って行き、改めて流す不便さがあった。本格的な高齢社会を向かえ、日常生活における用便関係の介護は、デリケートな問題でもある為、介護者、非介護者の双方の立場になって考えることが必要であり、以上のような不都合を解決したシャワーユニットの提供することを課題とする。
【課題を解決するための手段】
【０００６】  以上の課題を解決するために、請求項１の発明は、壁パネル８を建並べて形成されたルーム空間において、その側面に囲まれた洗い場２があり、該洗い場側の各側面のうち、いずれか一側面以上に沿った床面に、大便等も流せる排水を設けていることを特徴とするシャワーユニットである。【０００７】  また、請求項２の発明は、請求項１のシャワーユニットにおいて、該洗い場の排水口の上部に設けた、独立して着脱できる排水用の目皿である。この目皿は洗い場の床面より、下がった高さに位置し、シャワー及び入浴の一般的な使い方によって生じる、髪の毛やゴミ等を排水に流さないことを目的とした、取り外しが簡単な目皿である。これにより、通常時は日常のシャワー室の機能を損なう事がなく使用でき、また、便等を流す必要時には、簡単に該目皿を取り外し、大便等を流せることができる。【０００８】  加え、請求項３の発明は、請求項１及び２に記載のシャワーユニットにおいて、該目皿の、独立して着脱できるフタである。該フタは洗い場の床面とほぼ同一高さに位置し、表面も床と同一形状に形成したものであるので、美観を損なうこともなく、躓かず、安全である。また、該フタには、該目皿と該フタとの間に指を挿入できる切欠部がある。その切欠位置は、該洗い場側の各側面のうち、いずれか一側面以上に沿って存在し、該フタを簡単に取り外しができ、その上、該目皿も簡単に取り外しが出来るようになっている。該フタの切欠部は、排水量に関し、円滑に排水できるほどの切欠部の面積がある。
【発明の効果】
【０００９】  請求項１の発明により、高齢者等の粗相、又は、乳児、幼児のお漏しの用便処理ができ、便の付いた局部や臀部も十分に洗浄でき、加え、大便の付着した下着等も下洗いできる。【００１０】  シャワー室内の障害物のない空間であるため、介護者の負担も軽く、また多量の温水を使用するシャワー洗浄が可能なので、不潔になりがちな局部も極めて清潔に保てる。【００１１】  精神的にデリケートな用便の介護において、非介護者は精神的にも、トイレで下半身の衣類を脱ぐという行為よりも、シャワー室で脱ぐという行為のほうが、心理的にも受け入れやすいので、介護もしやすくなり、介護者にも非介護者にも優しいシャワーユニットとなる。【００１２】  シャワーの使用中に用便したくなった場合、また用便をした場合の用便処理ができる。車椅子等、長時間、一定の姿勢が継続せざるを得ない方など、腹部をシャワーの刺激、また温水で暖めると、用便をしたくなったりするので、それらの用便がシャワー室内で処理ができると、便利である。【００１３】  肢体不自由等車椅子使用者が、自分にあった楽な姿勢で用便ができる。障害の程度は個人差が大きく、進行性の障害を持った方など、シャワー室内で自分の楽な姿勢で用便ができる。これはシャワーチェアー等の器具を用いても良いし、座った状態、又は寝た状態でも利用可能である。【００１４】  今まで一般的なトイレを使用できなかった、這って用便をする肢体不自由者も利用できる。【００１５】  使用する本人、及びその家族に対し、現在は必要なくても、将来的に「通常使用」及び「大便等流す使用」の両方が可能な事は、極めて有効である。また、シャワーユニットは比較的、空間も狭いので、既存の押入スペースを本発明のシャワーユニットに改造するだけで、介護しやすくなり、便利である。【００１６】  請求項２の発明により、髪の毛やゴミ等を排水に流さない目皿がある為、通常のシャワーユニットとして、全く機能を損なう事がなく使用できる。また、必要時には、簡単に該目皿を取り外し、大便等を流せることができる。【００１７】  請求項３の発明により、床面と同じ高さのフタであることから、高齢者、身体障害者、幼児、及び健常者において、躓くこともなく、安全である。また、位置的にも、該洗い場側の各側面のいずれか一側面以上に沿っているので、より安全性が高い。更に美観の面からも、該フタの表面も床と同一形状に形成したものであり、美観を損なうことない。
【発明を実施するための最良の形態】
【００１８】  図１は、請求項１、２、３に示す大便等も流せるシャワーユニットの概略傾視構成図の例であり、その平面構成図の例が図２、その断面構成図の例が図３、加え、洗い場の排水トラップの拡大断面構成図の例が、図４である。【００１９】  図２は、平面構成図であり、図４は、洗い場の排水トラップの拡大断面構成図である。点線は基本的な水勾配を示している。該目皿４の上部に床とほぼ同じ高さで、フタ５を設置しており、切欠部６より指を挿入してフタ５を開け、簡単に取り外しが出来る。そして、目皿４の溜まっている髪の毛等ゴミを簡単に清掃できる。通常時は、目皿４及びフタ５をセットして使用するが、用便や便の付いた下着類を下洗いする時は、目皿４とフタ５を取り除いて使用する。図２の（ｂ）は（ａ）の排水部の目皿４及びフタ５を取り外した平面構成図である。【００２０】  洗い場の排水トラップ３は、陶器製、磁器製、硬質塩化ビニル製等のビニル製、ＡＢＳ樹脂等の樹脂製、ステンレス等の金属製である。また、そのトラップに接続する洗い場の排水管１１は、硬質塩化ビニル管、塩ビコーチィング管、鋼管、塩ビライニング鋼管、コーティング鋼管、鋳鉄管、耐火二層管、及び鉛管とする。また、該目皿４のフタ５は床の素材と同様のもので形成することとし、例えばＦＲＰ製等である。【００２１】「実施形態の効果」
この実施形態によれば、目皿及びフタをセットしておくと、通常、一般的なシャワー室となんら変わりなく使用できる。便を流す必要のない家族も、気持ち良くシャワーが使用出来る。しかしながら、大便、及び、大便の付いた下着類を下洗いする時は、目皿とフタを取り除けば、便や、トイレットペーパー等も流して処理できる。【００２２】「他の実施形態」
以下、本発明の他の実態の形態について説明する。
（イ）．洗い場の排水口は、洗い場の各側面のうち、いずれか一側面以上に沿った床面に、設けてもよい。
（ロ）．図５に示す他の実施形態は、より大量の水を流しても、スムーズに排水できるように、大きな排水ピット１１を設け、その上部にグレーチング１０等を設けてもよい。図６の（ｂ）は（ａ）の排水部の目皿４及びグレーチング１０を取り外した平面構成図である。
【産業上の利用可能性】
【００２３】  本発明に係る大便等も流せるシャワーユニットは、工業的に量産することが可能であるため、産業上の利用可能性を有する。
【図面の簡単な説明】
【００２４】
【図１】シャワーユニットの概略傾視構成図の例である。
【図２】シャワーユニットの平面構成図の例であり、（ｂ）は（ａ）の排水部の目皿４及びフタ５を取り外した平面構成図である。点線の矢印は、水勾配を示す。
【図３】シャワーユニットの断面構成図の例である。
【図４】洗い場の排水トラップ（大便用）３の拡大断面構成図の例である。
【図５】他の実施形態を示す平面構成図の例であり、より大量の水を流しても、スムーズに排水できように排水ピット１１を設け、その上部にグレーチング１０等を設けた例である。（ｂ）は（ａ）の排水部の目皿４及びグレーチング１０を取り外した平面構成図である。点線の矢印は、水勾配を示す。
【符号の説明】
【００２５】１    シャワーユニット（本体）
２    洗い場  床面
３    洗い場  排水トラップ（大便用）
４    目皿
５    フタ
６    切欠部
７    天井パネル
８    壁パネル
９    洗い場  排水管
１０  グレーチング
１１  排水ピット
１２  水たまり部
【図１】
2006348716.tif 000003
【図２】
2006348716.tif 000004
【図３】
2006348716.tif 000005
【図４】
2006348716.tif 000006
【図５】
2006348716.tif 000007